(57)【要約】【課題】介護を要する老人や長期療養者の身体からの排泄物の処理は、現状では紙おむつに頼っているが、その後処理、特に老人や長期療養者の身体の清潔を保つための作業が介護する人の大きな負担となっている。【解決手段】腰部（２）、臀部（３）、脚部（４）を有するウエットスーツ（１）に、洗浄ノズル（６，１０）、窪み（８）、排水具（１１）、エアジャッキ（７）を取り付け、身体からの排泄物を検知すると、センサ（９）からの信号により、エアジャッキ（７）により身体を持ち上げ、洗浄ノズル（６，１０）より温水を流出させ、排泄物を外部へ流し、かつ次いで温風を出し、身体を乾燥させる。【選択図】　　　　図１
2004000365.tif 000002
【特許請求の範囲】
【請求項１】
腰部と、臀部と、両脚部を有する介護用ウエットスーツであって、腰部と臀部および／又は臀部と脚部との間に配された洗浄ノズルと、両脚部間に出口が位置しかつ臀部を外部に連通させる排水具と、異物検知用センサとを有し、センサからの信号により洗浄ノズルより温水を流し、異物を排水具の出口より外部へ流出させる介護用ウエットスーツ。
【請求項２】
さらに臀部に配されたエアジャッキと、および、腰部および／又は両脚部に配されたエアパッキンとを有する請求項１に記載の介護用ウエットスーツ。
【請求項３】
エアジャッキが腰部から脚部方向へ複数個並設させている請求項２に記載の介護用ウエットスーツ。
【請求項４】
洗浄ノズルより乾燥用空気が供給可能である請求項１又は２に記載の介護用ウエットスーツ。
【発明の詳細な説明】
【０００１】
【発明が属する技術分野】
本発明は、老人や長期療養者或いは車椅子を使用する人の介護用ウエットスーツに関し、特に詳述すれば、人体からの異物即ち排泄物を自動的に流し出す介護用ウエットスーツに関する。
【０００２】
【従来の技術】
老人や長期療養者の下の世話、言い換えれば人体からの異物即ち排泄物は、主に、紙おむつにより処理している。しかし、排泄後の人体の清潔を保つためのタオル等による身体を拭く作業は、看護人にとっても重労働であり、又、老人や長期療養者にとっても心重い苦痛の時間となっている。
さらに、車椅子を生活の一部とする人にとって排泄物の処理は頭痛の種となっている。
【０００３】
そこで、排泄後、老人や長期療養者を椅子等に乗せコンベヤで温水浴に運び、下半身を洗うことが試みられるが、そのための設備や維持を考えると、実用的でなく、身体にハンディキャップを持つ人の特殊なケース以外に使用されていない。
【０００４】
【発明が解決しようとする課題】
老人や長期療養者が病院や家庭で寝ていても、或いは車椅子で生活していても、看護婦や家庭内の介護人の労働負担が少なく、安価に購入でき、しかも、簡単に設備可能であり、取扱いの容易な器具の開発が望まれる。
このような器具は、老人ホームや他の施設、家庭から強く望まれるものである。
【０００５】
それ故に、本発明は前述の要望を満たす介護用ウエットスーツを提供することを解決すべき課題とする。
【０００６】
【課題を解決するための手段】
本発明は、前述した課題を解決するために、基本的には、老人や長期療養者の腰部に着用するウエットスーツに、身体からの排泄物としての異物を検知すると、温水を流し、異物をウエットスーツの外へ排出させる手段を設ける技術手段を採用する。
【０００７】
このような技術的手段の採用は、看護婦や介護人の手を煩わせることなく、しかも、老人や長期療養者の心の苦痛を伴うことなく、自動的に排泄物としての異物を処理できる。
ウエットスーツ内への温水は、家庭に普及している通常の湯沸かし程度の器具で充分であり、老人ホームのような多数の寝たきり老人の住むところでは、一つの湯沸かしや温水器からパイプやホースを一本延在させ、これを枝分けして使用すれば良い。
【０００８】
又、検知センサは、温度、水分、臭い等を感知するものをウエットスーツに組み込めば良い。
異物の排泄は、寝具の下のバケツ等に入れるか、パイプを介して下水処理施設に送っても良い。
このような異物の自動処理は、介護人や看護婦の労働を著しく軽減でき、しかも、ウエットスーツは長期間の使用が可能であり、日々のコストは相当に安価とさせ得る。
【０００９】
本発明によれば、腰部と、臀部と、両脚部を有する介護用ウエットスーツであって、腰部と臀部および／又は臀部と脚部との間に配された洗浄ノズルと、両脚部間に出口が位置しかつ臀部を外部に連通させる排水具と、異物検知用センサとを有し、センサからの信号により洗浄ノズルより温水を流し、異物を排水具の出口より外部へ流出させる介護用ウエットスーツが提供される。
【００１０】
【発明の実施の形態】
本発明による介護用ウエットスーツ１は、例えば、クロロプレン発泡スポンジゴム、他の発泡繊維、ネオプレンや他の伸縮性に富む繊維材で縫製される。
介護用ウエットスーツ１は、腰部２と、臀部３と、対の脚部４とからなり、着用者の身体の大きさに適合するよう数種のサイズのものが用意される。
腰部２と脚部４には、環状のエアパッキン５が設けられる。エアパッキン５は、腰部２と脚部４の内周面に弾力性のあるパイプ材を組み込むことで形成される。エアパッキン５には、図示しない加圧源より低圧の空気を送り、膨張させ、着用者の腰や脚に密着し、外部に対し、液密状態とさせるものが良い。勿論、低圧空気を送ることのないスポンジ状の弾性材を用いて、エアパッキン５としても良い。
【００１１】
腰部２と臀部３との間の内周面に洗浄ノズル６を配する。洗浄ノズル６は、弾力性あるパイプに複数個の孔を穿けたものでよく、孔の向きを臀部３の方向とする。
洗浄ノズル６は、ウエットスーツ１の下側半分のみに配すればよく、図示しない外部の湯沸かし器や温水器に接続される。
【００１２】
臀部３は、着用者の体の線より離れた下半部を有し、着用者の臀をエアジャッキ７で持ち上げ自在とさせる。
臀部３は、排泄物としての異物を受ける窪み８をその下半部中央に有す。
エアジャッキ７は、腰部２から脚部４へと複数個並設させており、窪み８の両側に対称的に配すると良い。
【００１３】
窪み８には、異物を検知するセンサ９と着用者の臀に向けた第２の洗浄ノズル１０とを配す。センサ９は小水や大便等の排泄物としての異物の温度、水、臭い等を検知するもので、第２の洗浄ノズル１０は、主に肛門を洗うものとビデタイプのものとが使用される。第２の洗浄ノズル１０は第１の洗浄ノズル６と同構成のもので、同一の湯沸かし器や温水器に接続される。
【００１４】
窪み８は、排水具１１を介して外部と連通する。排水具１１は窪み８内の異物を外部へ洗い流す働きをし、図示しない容器や排水パイプに接続される。排水具１１の下方のベッド部分に孔を穿け、この孔を介して外部の容器と排水具１１とを接続すると良い。
【００１５】
介護用ウエットスーツ１は２つ割りとなっており、側部のファスナー１４により一体物として着用する。
図２に示す１２は安全弁であり、１３は逆止弁であり、臀部３内に温水や空気が充満したとき、これを外部へ安全弁１２が逃がし、逆に臀部３内が負圧状態となったとき、外部空気を、逆止弁１３を介して臀部３内に送ることとする。
【００１６】
着用者が異物を排泄すると、センサ９がこれを検知し、信号を加圧源と温水器又は湯沸かし器に送り、エアジャッキ７を働かせて着用者の臀を持ち上げ、同時に、第１の洗浄ノズル６より温水を送り、窪み８内の異物を排水具１１より外部へ流し出す。次いで、第２の洗浄ノズル１０が肛門洗浄又はビデとして働くよう温水を噴出させる。
このようにして、着用者の下半身を洗浄した後、洗浄ノズル６，１０より温風を送り、身体とウエットスーツ内を乾燥させ、さらに、殺菌剤を散布して衛生を保つ。
【００１７】
ウエットスーツ内が乾燥した後、エアジャッキ７より空気を抜き、ウエットスーツ１の臀部３に体を任せるよう元の状態にする。
エアパッキン５は、センサ９が異物を感知したときに膨張して液密状態を作るようにし、常時はウエットスーツ内と外気とを連通状態とし、着用者の体の蒸れを解消させると良い。
【００１８】
車椅子常用者は、車椅子に着席する前に、少なくとも脚部４のエアパッキン５の下側半分にエアを入れ、脚部４の下側を外気と遮断させかつ排水具１１を閉とさせる。この状態で、仮りに、車椅子を使用する人が排泄しても、脚部４や排水具１１を介して排泄物が外に漏れることはない。排泄物をセンサ９が検知すると、音やランプにより周囲の人に知らせ、車椅子使用者を排泄物の処理設備のある常用ベッドに寝かせ、排水具１１を開とし、温水を流して、排泄物を外気へ前述した如く流し出せば良い。
【００１９】
エアジャッキ７は必須ではないが、エアジャッキ７に空気を入れ、使用者の皮膚とウエットスーツの内表面との間に空間を作り、温水、温風を流しやすくするのが良い。
又、エアジャッキ７を周期的に膨張、収縮させ、使用者へのマッサージとすることも出来る。
【００２０】
以上から明らかなように、本発明の介護用ウエットスーツは、着用者の異物を検知し、これを自動的に流し出し、身体を乾燥させるので、介護人の労働負担並びに着用者の心の負担を著しく軽減でき、しかも、衛生的である。
【図面の簡単な説明】
【図１】本発明の一例のウエットスーツの下半部の平面図である。
【図２】本発明の介護用ウエットスーツの縦断面図である。
【図３】図１の矢視ＩＩＩ−ＩＩＩより見た断面図である。
【図４】図１の矢視ＩＶ−ＩＶより見た断面図である。
【符号の説明】
１　　介護用ウエットスーツ
２　　腰部
３　　臀部
４　　脚部
５　　エアパッキン
６，１０　　洗浄ノズル
７　　エアジャッキ
８　　窪み
９　　センサ
１１　　排水具
１２　　安全弁
１３　　逆止弁
１４　　ファスナー
【図１】
2004000365.tif 000003
【図２】
2004000365.tif 000004
【図３】
2004000365.tif 000005
【図４】
2004000365.tif 000006